(57)【特許請求の範囲】
【請求項１】
電動工具本体に形成された一対の係入孔に対してフックに形成された線材で出来た一対の係入部をそれぞれ係入し、且つフック固定具を係入部に係合させてフックを固定する電動工具におけるフックの取付構造において、一対の係入部の先端に折曲部が形成され、一方の係入孔が一方の係入部の挿入方向に間隔を置いて配置される第一と第二の孔からなり、第一の孔が一方の折曲部を挿入しうる長孔として形成され、第二の孔がこの折曲部の係合しうる切欠として形成され、他方の係入孔が他方の係入部の嵌り込む溝として形成され、フック固定具が他方の係入部の折曲部に係合可能に設けられており、一方の折曲部を第一の孔から電動工具本体内に挿入した後に一方の係入部を軸にしてフックを捻ると、一方の係入部の折曲部が第二の孔に係合すると共に、他方の係入部が他方の係入孔に嵌り込み、フック固定具がこの他方の係入部の折曲部に係合することによりフックが電動工具本体に固定されるようにしたことを特徴とする電動工具におけるフックの取付構造。
【請求項２】
上記フック固定具を複数箇所に設けたことを特徴とする請求項１に記載の電動工具におけるフックの取付構造。
【請求項３】
係入部を固定するフック固定具に係入穴を形成し、この係入穴にフックの係入部に形成した折曲部を係入し、フックを固定することを特徴とする請求項１又は請求項２に記載の電動工具におけるフックの取付構造。
【発明の詳細な説明】
【０００１】
【発明の属する技術分野】
本発明は、電動工具におけるフックの取付構造に関する。
【０００２】
【従来の技術】
電動工具には作業者のベルト等に電動工具を掛止するためのフックが取り付けられる場合がある。特開平１０−１５８５２号公報は電動工具におけるフックの取付構造について開示する。このフックの取付構造は、電動工具本体に係入孔を形成し、この係入孔にフックを弾性変形させてフックの係入部を挿入し、フックの先端に形成した折曲部を係入孔に係止するようになっている。フックの折曲部が係入孔に引っ掛かることから電動工具本体からのフックの抜け止めがなされる。
【０００３】
【発明が解決しようとする課題】
特開平１０−１５８５２号公報のフックは弾性変形させることによりフック係入部を電動工具本体に取り付けているので、他の物体がフックに当たったりした場合にフック係入部が変形し電動工具本体から外れるおそれがある。また、押圧部のかかりが少ないこと、押圧部が変形しやすいこと等から、フックが電動工具本体から外れやすく、フックと電動工具との間にガタツキが発生しやすい。
【０００４】
したがって、本発明は電動工具本体に簡易に着脱することができ、且つ電動工具本体から容易に外れることがないフックの取付構造を提供することを目的とする。
【０００５】
【課題を解決するための手段】
上記課題を解決するため、請求項１に係る発明は、電動工具本体に形成された一対の係入孔（８，９）に対してフック（５）に形成された線材で出来た一対の係入部（６，７）をそれぞれ係入し、且つフック固定具（１３）を係入部（６，７）に係合させてフック（５）を固定する電動工具におけるフックの取付構造において、一対の係入部（６，７）の先端に折曲部（６ａ，７ａ）が形成され、一方の係入孔（８）が一方の係入部（６）の挿入方向に間隔を置いて配置される第一と第二の孔（８ａ，８ｂ）からなり、第一の孔（８ａ）が一方の折曲部（６ａ）を挿入しうる長孔として形成され、第二の孔（８ｂ）がこの折曲部（６ａ）の係合しうる切欠として形成され、他方の係入孔（９）が他方の係入部（７）の嵌り込む溝として形成され、フック固定具（１３）が他方の係入部（７）の折曲部（７ａ）に係合可能に設けられており、一方の折曲部（６ａ）を第一の孔（８ａ）から電動工具本体内に挿入した後に一方の係入部（６）を軸にしてフック（５）を捻ると、一方の係入部（６）の折曲部（６ａ）が第二の孔（８ｂ）に係合すると共に、他方の係入部（７）が他方の係入孔（９）に嵌り込み、フック固定具（１３）がこの他方の係入部（７）の折曲部（７ａ）に係合することによりフック（５）が電動工具本体に固定されるようにした電動工具におけるフックの取付構造を採用する。
【０００６】
また、請求項２に係る発明は、上記フック固定具（１３）を複数箇所に設けた請求項１に記載の電動工具におけるフックの取付構造を採用する。
【０００７】
また、請求項３に係る発明は、係入部（７）を固定するフック固定具（１３）に係入穴（１７）を形成し、この係入穴（１７）にフック（５）の係入部（７）に形成した折曲部（７ａ）を係入し、フック（５）を固定する請求項１又は請求項２に記載の電動工具におけるフックの取付構造を採用する。
【０００８】
【発明の実施の形態】
次に、本発明の実施の形態について図面を参照して説明する。
＜実施の形態１＞
電動工具本体は図１に示すようなハウジングを有する。このハウジングは図１の紙面と平行に延びる面で二つ割りされた二つ割片が重ね合わされることにより形成されている。図１に示すように、組み立てられたハウジングは刃物等を取り付けるための駆動部１、手で持つためのハンドル部２等を有する。ハンドル部２を手で握りハンドル部２上のトリガー３を引くことにより駆動部１内のモータ（図示せず）を起動し刃物等を回転させることができる。ハウジングの下端であるハンドル部２の下端にはモータに電力を供給するための箱型のバッテリ４が着脱自在に取り付けられている。なお、図示例の電動工具はインパクトドライバであるが、他の種類の電動工具、或いはバッテリ４を使用しない電動工具にも本発明は適用可能である。
【０００９】
ハンドル部２の下端にはこの電動工具本体を作業者のベルト等に掛けるためのフック５が着脱自在に取り付けられている。もちろんフック５の取付個所はハンドル部２に限るものではなく、駆動部１のハウジング壁等の他の個所であってもよい。フック５は例えば円形断面の金属製の線材を略Ｗ型に屈曲成形してなるもので、両端部が電動工具本体に連結され、舌状の中央部５ａが作業者のベルト等へ差し込まれるようになっている。
【００１０】
フック５は図２乃至図６に示すような取付構造により電動工具本体に取り付けられている。ただし、図２はフック５を電動工具本体の右側に配置した状態で示し、図３は左側に配置した状態で示している。
【００１１】
図２及び図３に示すように、Ｗ字形のフック本体はハンドル部２及びバッテリ４の外壁に沿うように上下方向に配置され、フック本体の両端からは係入部６，７がフック本体に対して直角に折れ曲がりハンドル部２の方へ突出している。係入部６，７は望ましくはフック本体を構成する線材の延長部で形成される。係入部６，７はハンドル部２内に入り込んでおり、その先端には下方へと直角に折れ曲がる折曲部６ａ，７ａが形成されている。一方、ハンドル部２のハウジング外壁には各係入部６，７が挿入される係入孔８，９が左右方向すなわちハウジングの二つ割り片間を横切る方向に開口している。一方の係入孔８はハウジング外壁に穿設された第一の孔８ａとハウジング内部に形成された第二の孔８ｂとで構成される。第一の孔８ａは折曲部６ａを挿入することができるように横長の長孔に形成される。この長孔は前後方向に伸びている。第二の孔８ｂは、ハウジング内に前後方向及び左右方向に延びるように形成されたリブ１０にＵ字形の切欠として形成される。フック５を図２中二点鎖線に示すように傾けて一方の係入部６の折曲部６ａを第一の孔８ａからハウジング内に挿入し、折曲部６ａが第二の孔８ｂに到達したときにフック５を図２中二点鎖線の位置から実線の位置に回転させるようにすると、折曲部６ａが第二の孔８ｂに係合する。これにより、フック５はハウジングから抜け出なくなる。他方の係入孔９はハウジングを構成する二つ割り片を連結ネジ１１で連結するためのボス１２に形成される。この他方の係入孔９はハウジングの下方すなわちバッテリ４側に向かって開いたＵ字溝として形成される。上述したように一方の係入部６を支点にしてフック５を図２中二点鎖線の位置から実線の位置に回転させると、他方の係入部７が自動的にこの他方の係入孔９に嵌り込む。
【００１２】
この係入孔８，９と係合したフック５は、係入孔８，９に係入された係入部６，７に図３乃至図６に示すフック固定具１３を係合させることで電動工具本体に固定される。
【００１３】
フック固定具１３は、上記ボス１２の二つ割り面間に形成される空隙内に挿入され、二つ割り面を跨ぐように設けられた軸部１４に回動可能に支持されている。フック固定具１３は軸部１４を支点にして図５中実線位置と二点鎖線位置との間を回動することでフック５の係入部７に係脱可能であり、係入部７に嵌り込む凹溝１３ａと、係脱操作の際指を掛けるための摘み片１３ｂとを具備している。摘み片１３ｂに指を掛けてフック固定具１３を係入部７の方に倒すようにすると係入部７と凹溝１３ａとが図６に示すように係合し、係入部７の折曲部７ａがフック固定具１３に引っ掛かるので、フック５はハウジング外に抜け出なくなる。逆にフック固定具１３を係入部７から引き離すように回転させると係入部７から凹溝１３ａが離反し、係入部７がフック固定具１３から解放されるので、フック５はハウジング外に抜け出し可能になる。
【００１４】
また、図４及び図５に示すようにフック固定具１３と係入部７との係合状態はロック手段により保持される。このロック手段はフック固定具１３の側面に形成された凹部１５と、この凹部１５に嵌り込むハウジング側に形成された凸部１６とで構成される。フック固定具１３が係入部７と係合すると同時に凹部１５内に凸部１６が嵌り込むので、フック固定具１３は係入部７との係合位置に保持される。この凹凸部１５，１６はフック固定具１３とハウジングとの間で入れ換えてもよい。フック固定具１３と係入部７との係合状態は上記バッテリ４によっても保持される。すなわち、バッテリ４はハンドル部２の下端に図示しない連結手段により連結され、フック固定具１３はこのバッテリ４により図５中二点鎖線の方への回動を阻止される。
【００１５】
上記係入孔８，９、フック固定具１３等は、図３に示すようにハウジングの二つ割面を中心に左右対称に配置され、且つ形成されている。このためフック５の係入部６，７を差し込む向きを変えることによりハウジングの左右いずれの側面にも装着することができる。もちろん係入孔８，９をハウジングの前後面に形成することでフック５を電動工具の前部又は後部に取り付けることもできる。
【００１６】
次に、上記構成のフックの取付構造の作用について説明する。
【００１７】
フック５を電動工具本体に装着するには、フック本体を図２中二点鎖線で示すように傾けた状態でハウジングの左右いずれかの側面に向け、一方の係入部６の折曲部６ａを係入孔８の第一の孔８ａからハウジング内に挿入する。
【００１８】
折曲部６ａが係入孔８の第二の孔８ｂに到達した時点でフック５を図２中二点鎖線の位置から実線の位置へと回転させると、係入部６の折曲部６ａが第二の孔８ｂの縁に引っ掛かる。これによりフック５は係入孔８からの抜け出しを阻止される。なお、このフック５の回転に先立ちフック固定具１３を図５中二点鎖線で示す位置へと回しておく。
【００１９】
上記のようにフック５が回転させられると他方の係入部７がハウジング側の他方の係入孔９に入り込む。そこでフック固定具１３を図５中二点鎖線の位置から実線の位置へと回転させて係入部７を係入孔９内に固定する。フック固定具１３を係入部７の方に回転させると、フック固定具１３の凹溝１３ａ内に係入部７が嵌り込み、係入部７の折曲部７ａがフック固定具１３に引っ掛かる。これによりフック５は係入孔９からの抜け出しを阻止される。
【００２０】
また、フック固定具１３は逆向きに回転しないよう凹凸部１５，１６の嵌合を介してハウジングに固定される。また、ハウジング下端に装着されたバッテリ４によりハウジング側に押し付けられる。これによりフック固定具１３は係入部７との係合状態を維持する。
【００２１】
このようにして電動工具本体に取り付けられたフック５の中央部５ａを作業者のベルト等へ差し込むことにより、電動工具を作業者の腰や保管棚等に吊るすことができる。また、フック５を作業者の腰等に引っ掛けた場合等において外力がフック５に作用しても、フック５の係入部６，７はそれらの折曲部６ａ，７ａと係入孔８，９又はフック固定具１３との係合によりハウジング外への抜け出しを阻止される。
【００２２】
フック５を電動工具本体から取り外す場合は、バッテリ４をハウジングから除去し、フック固定具１３を係入部７から離脱させた上で、フック５を図２中実線位置から二点鎖線位置へと回し、ハウジング外に引き抜くようにすればよい。
＜実施の形態２＞
この実施の形態２に係るフックの取付構造は、図７乃至図１０に示すように実施の形態１におけるフックの取付構造と略同様な構造を有するが、図８及び図９に示すようにフック固定具１３が複数箇所に設けられている。すなわち、他方の係入部７に加え一方の係入部６に対してもフック固定具１３が設けられている。この他方のフック固定具１３はリブ１０の下面に軸部１４を介して回転可能に支持されている。軸部１４はリブ１０と一体成形することができる。
【００２３】
このフックの取付構造においてはフック５の双方の係入部６，７がフック固定具１３で固定されるで、フック５を図７中実線で示される姿勢のまま回転させることなくハウジングに取り付けることもできる。
＜実施の形態３＞
この実施の形態３に係るフックの取付構造は、図１１乃至図１４に示すように実施の形態１における取付構造と略同様な構造を有するが、図１２乃至図１４に示すようにフック固定具１３に係入穴１７を形成し、この係入穴１７にフック５の係入部７に形成した折曲部７ａを係入するようになっている。このようにハウジングのＵ字溝状の係入孔９に嵌めた係入部７の折曲部７ａをフック固定具１３の係入穴１７に差し込むようにするので、ハウジングの左右方向におけるフック５のガタツキを解消することができる。
【００２４】
【発明の効果】
請求項１に係る発明によれば、電動工具本体に対するフックの着脱を簡易に行うことができるのはもちろんのこと、フックの係入部をフック固定具で固定するため外部から衝撃が加わってもフックが電動工具本体から外れなくなる。
【００２５】
請求項２に係る発明によれば、係入部を固定するフック固定具が複数箇所に設けられるので、フックを電動工具本体により確実に固定することができる。
【００２６】
請求項３に係る発明によれば、フックの折曲部をフック固定具の係入穴で固定するのでフックのガタツキを防止しフックを電動工具本体に確実に固定することができる。
【図面の簡単な説明】
【図１】本発明の実施の形態１に係るフックの取付構造を備えた電動工具の立面図である。
【図２】図１に示したフックの取付構造の拡大立面図である。
【図３】図２に示した個所の部分切欠底面図である。
【図４】図３中左部分の拡大図である。
【図５】図３中Ｖ−Ｖ線矢視図である。
【図６】図３中ＶＩ−ＶＩ線矢視図である。
【図７】本発明の実施の形態２に係るフックの取付構造を示す立面図である。
【図８】図７に示した個所の部分切欠底面図である。
【図９】図８中ＩＸ−ＩＸ線矢視図である。
【図１０】図８中Ｘ−Ｘ線矢視図である。
【図１１】本発明の実施の形態３に係るフックの取付構造を示す立面図である。
【図１２】図１１に示した個所の部分切欠底面図である。
【図１３】図１１中ＸＩＩＩ−ＸＩＩＩ線矢視図である。
【図１４】図１１中ＸＩＶ−ＸＩＶ線矢視図である。
【符号の説明】
５…フック
６，７…係入部
７ａ…折曲部
８，９…係入孔
１３…フック固定具
１７…係入穴
【図１】
0003706287.tif 000002
【図２】
0003706287.tif 000003
【図３】
0003706287.tif 000004
【図４】
0003706287.tif 000005
【図５】
0003706287.tif 000006
【図６】
0003706287.tif 000007
【図７】
0003706287.tif 000008
【図８】
0003706287.tif 000009
【図９】
0003706287.tif 000010
【図１０】
0003706287.tif 000011
【図１１】
0003706287.tif 000012
【図１２】
0003706287.tif 000013
【図１３】
0003706287.tif 000014
【図１４】
0003706287.tif 000015